(57)【要約】【課題】レンズ駆動装置において、レンズ枠のガタツキ、像揺れ等を防止する。【解決手段】ベース１０、ベース１０に固定された駆動源５０、駆動源５０により回転駆動されるリードスクリュー６０、レンズＧを保持するレンズ枠４０、ベース１０に固定されてレンズ枠４０を光軸方向Ｌに移動自在に支持するシャフト２０，３０、リードスクリュー６０に螺合すると共に光軸方向Ｌにおいてレンズ枠４０に回転不能に当接するナット７０、ナット７０をレンズ枠４０に向けて付勢する付勢部材８０を備え、付勢部材８０は、レンズ枠４０を光軸Ｌに垂直な面内において回転付勢するように形成されている。これにより、レンズ枠４０のガタツキ、像揺れ等を防止でき、又、付勢部材８０が、ナットをレンズ枠に付勢する役割とレンズ枠を回転付勢する役割とを兼ねるため、部品点数を削減でき、構造の簡素化、装置の小型化等を達成できる。【選択図】図１
2007101634.tif 000002
【特許請求の範囲】
【請求項１】
ベース、前記ベースに固定された駆動源、前記駆動源により回転駆動されるリードスクリュー、レンズを保持するレンズ枠、前記ベースに固定されて前記レンズ枠を光軸方向に移動自在に支持するシャフト、前記リードスクリューに螺合すると共に光軸方向において前記レンズ枠に回転不能に当接するナット、前記ナットを前記レンズ枠に向けて付勢する付勢部材、を備えたレンズ駆動装置であって、
前記付勢部材は、前記レンズ枠を光軸に垂直な面内において回転付勢するように形成されている、
ことを特徴とするレンズ駆動装置。
【請求項２】
前記付勢部材は、所定角度捩った状態で取り付けられたコイルスプリングからなる、
ことを特徴とする請求項１記載のレンズ駆動装置。
【請求項３】
前記シャフトは、前記リードスクリューの近傍において平行に配置されて前記レンズ枠を摺動自在にガイドするガイドシャフトと、前記レンズ枠の回転を規制する回り止めシャフトを含み、
前記コイルスプリングは、前記ガイドシャフトの周りに配置されて、その一端が前記レンズ枠に掛止され、その他端が前記ベースに掛止されている、
ことを特徴とする請求項２記載のレンズ駆動装置。
【請求項４】
前記付勢部材は、光軸方向において前記ナットに当接する板バネからなり、
前記ナットは、前記板バネの付勢力の一部を、前記レンズ枠を光軸に垂直な方向に付勢する付勢力に変換するように形成されている、
ことを特徴とする請求項１記載のレンズ駆動装置。
【請求項５】
前記シャフトは、前記リードスクリューの近傍において平行に配置されて前記レンズ枠を摺動自在にガイドするガイドシャフトと、前記レンズ枠の回転を規制する回り止めシャフトを含み、
前記板バネは、前記レンズ枠に保持されると共に、前記ガイドシャフトに当接するべく片持ち梁状に伸長したバネ片を一体的に有する、
ことを特徴とする請求項４記載のレンズ駆動装置。
【発明の詳細な説明】
【技術分野】
【０００１】
本発明は、リードスクリュー及びナットの螺合構造によりレンズを保持したレンズ枠を光軸方向に駆動するレンズ駆動装置に関する。
【背景技術】
【０００２】
従来のレンズ駆動装置としては、ベース（あるいはケース）、レンズを保持したレンズ枠、レンズ枠を光軸方向に案内するべくベースに固定されると共にレンズ枠の嵌合部に嵌合されるガイドシャフト（あるいは回り止めシャフト）、ベースに固定されたモータ、モータに直結されて回転駆動されるリードスクリュー、レンズ枠に対して回転不能に保持されると共にリードスクリューに螺合するナット、ナットをレンズ枠に向けて付勢するコイルスプリング等を備え、モータによりリードスクリューを回転させて、ナットをネジ送りすることにより、レンズ枠を光軸方向に移動させるものが知られている（例えば、特許文献１、特許文献２参照）。
【０００３】
しかしながら、上記従来の装置においては、レンズ枠の嵌合部とガイドシャフト（回り止めシャフト）との間には、製造上のガタ（微小クリアランス）が発生し、特にレンズ枠が移動する光軸回りにおいてガタツキを生じ、レンズ枠が偏芯し、あるいは、像揺れ等を生じていた。また、ナットをレンズ枠に付勢するコイルスプリングはレンズ枠（レンズ）の中心（光軸）から偏倚した位置に付勢力を及ぼすため、ガタの分だけレンズ枠（レンズ）が傾き、その結果、レンズ枠の偏芯、像揺れ、像ボケ、像歪み等を生じていた。
したがって、このレンズ駆動装置をＣＤやＤＶＤ用の光ピックアップユニットとして適用した場合、データの読み出しや書き込み中にレンズ枠を光軸方向に移動させると、レンズの光軸が変動し、ディスク上の焦点を一定に保つことが困難であった。
【０００４】
【特許文献１】特開平１０−０２０１７７号公報
【特許文献２】特開２００４−００４９０３号公報
【発明の開示】
【発明が解決しようとする課題】
【０００５】
本発明は、上記の事情に鑑みて成されたものであり、その目的とするところは、構造の簡素化、部品点数の削減、装置の小型化等を図りつつ、レンズ枠の移動中でもレンズ枠のガタツキ、偏芯、傾き、像揺れ等を防止して、レンズ枠（レンズ）を光軸方向に高精度に安定して駆動できるレンズ駆動装置を提供することにある。
【課題を解決するための手段】
【０００６】
本発明のレンズ駆動装置は、ベース、ベースに固定された駆動源、駆動源により回転駆動されるリードスクリュー、レンズを保持するレンズ枠、ベースに固定されてレンズ枠を光軸方向に移動自在に支持するシャフト、リードスクリューに螺合すると共に光軸方向においてレンズ枠に回転不能に当接するナット、ナットをレンズ枠に向けて付勢する付勢部材、を備えたレンズ駆動装置であって、上記付勢部材は、レンズ枠を光軸に垂直な面内において回転付勢するように形成されている、ことを特徴としている。
この構成によれば、駆動源の回転駆動力によりリードスクリューが回転すると、ナットが回転を規制されつつ光軸方向にネジ送りされ、付勢部材の付勢力によりレンズ枠がナットに追従して光軸方向に移動する。
ここで、ナットをレンズ枠に向けて付勢する付勢部材は、レンズ枠を光軸に垂直な面内において回転付勢するように形成されているため、レンズ枠のガタツキが防止され、レンズ枠は光軸方向に安定して移動する。これにより、このレンズ駆動装置が光ピックアップユニット等に搭載された場合に、レンズの駆動中においても光軸が変動せず、焦点を一定に保つことができる。また、付勢部材が、ナットをレンズ枠に付勢する役割と、レンズ枠を回転付勢する役割とを兼ねるため、別々の付勢部材を設ける場合に比べて部品点数を削減でき、構造の簡素化、装置の小型化等を達成できる。
【０００７】
上記構成において、付勢部材は、所定角度捩った状態で取り付けられたコイルスプリングからなる、構成を採用することができる。
この構成によれば、圧縮又は引張りタイプのコイルスプリングを、所定角度捩った状態で取り付けるため、コイルスプリング本来の軸線方向の付勢力がナットをレンズ枠に向けて付勢する付勢力として作用し、捩りによる付勢力がレンズ枠を回転付勢する付勢力として作用する。このように、通常のコイルスプリングに二つの役割を兼ねさせることにより、低コスト化を達成しつつ、構造を簡素化することができる。
【０００８】
上記構成において、シャフトは、リードスクリューの近傍において平行に配置されてレンズ枠を摺動自在にガイドするガイドシャフトと、レンズ枠の回転を規制する回り止めシャフトを含み、コイルスプリングは、ガイドシャフトの周りに配置されて、その一端がレンズ枠に掛止され、その他端がベースに掛止されている、構成を採用することができる。
この構成によれば、レンズ枠は、ガイドシャフトにより主として光軸方向に案内され、回り止めシャフトにより光軸に垂直な面内での回転が規制される。ここで、コイルスプリングは、リードスクリューの近傍に位置するガイドシャフトの周りに配置されているため、レンズ枠を傾かせようとする力が発生するのを極力抑制でき、又、コイルスプリングの組み付けを容易に行うことができる。
【０００９】
上記構成において、付勢部材は、光軸方向においてナットに当接する板バネからなり、ナットは、板バネの付勢力の一部を、レンズ枠を光軸に垂直な方向に付勢する付勢力に変換するように形成されている、構成を採用することができる。
この構成によれば、板バネが、ナットをレンズ枠に向けて付勢すると共に、ナットとレンズ枠との係合を介してレンズ枠を回転付勢する付勢力としても作用する。このように、一つの板バネに二つの役割を兼ねさせることにより、低コスト化を達成しつつ、構造をより簡素化して、装置をより小型化することができる。
【００１０】
上記構成において、シャフトは、リードスクリューの近傍において平行に配置されてレンズ枠を摺動自在にガイドするガイドシャフトと、レンズ枠の回転を規制する回り止めシャフトを含み、板バネは、レンズ枠に保持されると共に、ガイドシャフトに当接するべく片持ち梁状に伸長したバネ片を一体的に有する、構成を採用することができる。
この構成によれば、レンズ枠は、ガイドシャフトにより主として光軸方向に案内され、回り止めシャフトにより光軸に垂直な面内での回転が規制される。ここで、板バネは、レンズ枠に保持されると共にその片持ち梁状に伸長したバネ片がガイドシャフトに当接しているため、ガイドシャフトに対するレンズ枠の傾きを防止することができる。また、バネ片は板バネに一体的に形成されるため、部品点数を増やすことなく、組み付けを容易に行うことができる。
【発明の効果】
【００１１】
上記構成をなすレンズ駆動装置によれば、構造の簡素化、部品点数の削減、装置の小型化等を達成しつつ、レンズ枠の移動中でもレンズ枠のガタツキ、偏芯、傾き、像揺れ等を防止して、レンズ枠（レンズ）を光軸方向に高精度に安定して駆動できるレンズ駆動装置を得ることができる。
【発明を実施するための最良の形態】
【００１２】
以下、本発明の最良の実施形態について、添付図面を参照しつつ説明する。
図１ないし図４は、本発明に係るレンズ駆動装置の一実施形態を示すものであり、図１は装置の分解斜視図、図２は装置の部分斜視図、図３は装置の部分正面図、図４は装置の部分平面図である。
【００１３】
この装置は、図１ないし図４に示すように、ベース１０、ベース１０に固定され光軸方向Ｌに伸長するガイドシャフト２０及び回り止めシャフト３０、レンズＧを保持しガイドシャフト２０により光軸方向Ｌに移動自在に支持されたレンズ枠４０、ベース１０に固定された駆動源としてのモータ５０、モータ５０に直結され光軸方向Ｌに伸長するリードスクリュー６０、リードスクリュー６０に螺合されると共にレンズ枠４０に当接されるナット７０、ナット７０をレンズ枠４０に向けて付勢する付勢部材としてのコイルスプリング８０、レンズ枠４０を覆うようにベース１０に結合されるカバー９０、レンズ枠４０の初期位置を検出する検出センサ１００等を備えている。
【００１４】
ベース１０は、樹脂材料により成型されており、図１ないし図４に示すように、略矩形状をなし、光軸Ｌを中心とする開口部１１、光軸Ｌの後方（モータ側）に閉鎖壁を設けたコイルスプリング８０を通す筒状の穴１２、リードスクリュー６０を通す貫通孔１３、穴１２の閉鎖壁に形成されたガイドシャフト２０を嵌合する嵌合穴１４、回り止めシャフト３０を嵌合する嵌合穴１５、モータ５０を固定する固定部１６、コイルスプリング８０の端部の一方（他端）を掛止する壁部１７、カバー９０を連結するネジ穴１８等を備えている。
【００１５】
ガイドシャフト２０は、図１ないし図４に示すように、円形断面をなす金属材料により光軸方向Ｌに伸長するように形成されており、その一端がベース１０の嵌合穴１４に嵌合固着され、その他端が後述するカバー９０の嵌合孔９２に嵌合固着されている。そして、ガイドシャフト２０は、レンズ枠４０の後述する連結部４３に摺動自在に挿入されてレンズ枠４０を光軸方向Ｌに案内するようになっている。
【００１６】
回り止めシャフト３０は、図１ないし図４に示すように、円形断面をなす金属材料により光軸方向Ｌに伸長するように形成されており、その一端がベース１０の嵌合穴１５に嵌合固着され、その他端が後述するカバー９０の嵌合孔９３に嵌合固着されている。そして、回り止めシャフト３０は、レンズ枠４０の後述する連結部４６に摺動自在に挿入されてレンズ枠４０が光軸Ｌ回りに回転するのを規制している。
【００１７】
レンズ枠４０は、樹脂材料により形成されており、図１ないし図４に示すように、レンズＧを保持する環状部４１、環状部４１から径方向に延出する延出部４２、延出部４２から光軸方向Ｌに伸長するように形成されてガイドシャフト２０を摺動自在に嵌合させて連結する連結部４３、延出部４２の一部に形成されてリードスクリュー６０を通す円孔を画定すると共にナット７０を回転不能に当接させる当接部４４、延出部４２の一部にコイルスプリング８０の一端８１を掛止するように形成された掛止溝４５、環状部４１から径方向に突出し回り止めシャフト３０を摺動自在に挿入させて連結する略Ｕ字状の連結部４６、環状部４１から径方向に突出し検出センサ１００により検出されるための被検出片４７等を備えている。
【００１８】
モータ５０は、所定の角度刻みでステップ的に回転し得るステッピングモータであり、図１に示すように、ネジＢによりベース１０の固定部１６に固定されている。そして、モータ５０は、直結されたリードスクリュー６０に回転駆動力を及ぼすようになっている。
【００１９】
リードスクリュー６０は、図１ないし図４に示すように、金属材料により光軸方向Ｌに伸長するように形成されており、その外周面の所定領域に雄ネジを備えている。
ナット７０は、図１ないし図４に示すように、金属材料により形成されており、リードスクリュー６０の雄ネジに螺合する雌ネジ、その外周面から径方向に突出すると共に当接部４４の凹部４４ａに挿入し得る突起７０ａ等を備えている。
【００２０】
コイルスプリング８０は、図１ないし図４に示すように、ガイドシャフト２０の周りにおいてベース１０とレンズ枠４０との間に圧縮した状態で、かつ、所定角度捩った状態で配置されており、その一端８１がレンズ枠４０の掛止溝４５に掛止され、その他端８２がベース１０の穴１２内の側面の壁部１７に掛止されている。
したがって、コイルスプリング８０は、レンズ枠４０を光軸方向Ｌの前方（被写体側）に向けて付勢し、すなわち、リードスクリュー６０に螺合したナット７０をレンズ枠４０（当接部４４）に向けて付勢することにより、レンズ枠４０（当接部４４）とナット７０を常に接触させることができ、又、ナット７０の雌ネジとリードスクリュー６０の雄ネジとの間のガタ取りがなされ、さらに、図３に示すように、ガイドシャフト２０回りすなわち光軸Ｌに垂直な面内において矢印Ｒの方向にレンズ枠４０を回転付勢するようになっている。
【００２１】
これにより、レンズ枠４０のガタツキが防止され、レンズ枠４０は光軸方向Ｌに安定して移動させられるため、レンズ枠４０（レンズＧ）の駆動中においても光軸Ｌが変動せず、焦点を一定に保つことができる。また、付勢部材としてのコイルスプリング８０が、ナット７０をレンズ枠４０に付勢する役割と、レンズ枠４０を回転付勢する役割とを兼ねるため、別々の付勢部材を設ける場合に比べて部品点数を削減でき、構造の簡素化、装置の小型化等を達成できる。
【００２２】
カバー９０は、樹脂材料により略矩形状に形成されており、レンズＧ´が内側に固定された略円状の開口部９１、ガイドシャフト２０の他端を嵌合する嵌合孔９２、回り止めシャフト３０の他端を嵌合する嵌合孔９３、リードスクリュー６０の先端を受ける受け部材９４ａの嵌合孔９４、ネジＢを通す円孔９５、検出センサ１００を取り付ける凹部９６等を備えている。
【００２３】
検出センサ１００は、発光素子及び受光素子をもつ透過型の光センサであり、レンズ枠４０の被検出片４７の有無により、レンズ枠４０の初期位置（ホームポジション）を検出するようになっている。
【００２４】
次に、装置の組付けについて説明すると、先ず、リードスクリュー６０が直結されたモータ５０をベース１０の固定部１６にネジＢで締結して固定し、ガイドシャフト２０及び回り止めシャフト３０をベース１０の嵌合穴１４，１５にそれぞれ嵌合して固定する。
また、カバー９０の凹部９６に検出センサ１００を組付けて固定する。
【００２５】
続いて、ナット７０をレンズ枠４０の当接部４４に回転不能に組み込み（突起７０ａを凹部４４ａに嵌め込み）、コイルスプリング８０を所定角度捩った状態でガイドシャフト２０の周りに配置すると共に、連結部４３，４６にガイドシャフト２０及び回り止めシャフト３０を挿入しつつレンズ枠４０を前方から近づけて、コイルスプリング８０の一端８１を掛止溝４５に掛止しかつ他端８２をベース１０の壁部１７に掛止し、リードスクリュー６０をナット７０に螺合させて回転させ、レンズ枠４０を光軸方向Ｌの後方に向けて所定量移動させる。
【００２６】
これにより、コイルスプリング８０は、レンズ枠４０とベース１０との間で所定量圧縮され、リードスクリュー６０に螺合されたナット７０をレンズ枠４０に向けて付勢する付勢力を及ぼすと同時に、レンズ枠４０を光軸Ｌに垂直な面内において回転付勢する付勢力を及ぼすようになる。
ここで、コイルスプリング８０は、リードスクリュー６０の近傍に位置するガイドシャフト２０の周りに配置されているため、レンズ枠４０を傾かせようとする力が発生するのを極力抑制できる。
【００２７】
続いて、受け部材９４ａを嵌合孔９４に嵌合させた状態で、ベース１０に対向するようにカバー９０を近づけて、受け部材９４ａにリードスクリュー６０の先端を当接させると共に、嵌合孔９２，９３にガイドシャフト２０及び回り止めシャフト３０のそれぞれの他端を嵌合させ、カバー９０をベース１０に接合し、ネジＢで締結する。これにより、装置の組付けが完了する。
【００２８】
このように、装置の組付けにおいては、光軸方向Ｌの前方から各部品を順次に嵌め込むだけで、容易にかつ確実に組付けることができる。したがって、組付け作業を容易にかつ迅速に行うことができ、生産性を向上させることができる。特に、コイルスプリング８０は、ナット７０をレンズ枠４０に向けて付勢する本来の付勢力の他に、ガタツキを防止するべくレンズ枠４０を回転付勢する付勢力も及ぼすため、別々の付勢部材を採用する場合に比べて、部品点数を削減でき、構造を簡素化することができ、又、組み付けを容易に行うことができ、さらに、低コスト化を達成できる。
【００２９】
次に、この装置の動作について説明する。
先ず、レンズ枠４０が光軸方向Ｌの前方（初期位置）に位置するとき、検出センサ１００は被検出片４７を検出する。
そして、モータ５０が正回転すると、リードスクリュー６０が回転し、ナット７０はネジ送り作用により光軸方向Ｌの後方に向けて移動する。
すると、コイルスプリング８０の付勢力に抗して、ナット７０及びレンズ枠４０（当接部４４）は、接触したまま光軸方向Ｌの後方に向けて移動する。
そして、モータ５０の起動からのステップ数をカウントして、レンズ枠４０の駆動量を適宜制御し、レンズ枠４０を所望の位置に位置決めする。
【００３０】
一方、モータ５０が逆回転すると、リードスクリュー６０が回転し、ナット７０はネジ送り作用により光軸方向Ｌの前方に向けて移動する。
すると、コイルスプリング８０の付勢力により、ナット７０に追従して当接部４４すなわちレンズ枠４０が接触したまま光軸方向Ｌの前方に向けて移動し、駆動量を適宜制御することで所望の位置に位置決めされ、さらに前方に移動して初期位置に戻る。
【００３１】
この駆動動作において、レンズ枠４０は、ガタツキ等を生じることなく、光軸方向Ｌに安定して移動することができ、光ピックアップユニット等に搭載された場合には、レンズの駆動中においても光軸Ｌが変動せず、焦点を一定に保つことができ、像揺れ等を防止できる。
すなわち、この装置によれば、ナット７０をレンズ枠４０に付勢する役割とレンズ枠４０を回転付勢する役割とを兼ねるコイルスプリング８０（付勢部材）を採用したことにより、レンズ枠４０のガタツキ、像揺れ等を防止できると共に、別々の付勢部材を設ける場合に比べて部品点数を削減でき、構造の簡素化、装置の小型化等を達成できる。
【００３２】
図５ないし図９は、本発明に係るレンズ駆動装置の他の実施形態を示すものであり、図５は装置の分解斜視図、図６は装置の部分斜視図、図７は装置の部分正面図、図８及び図９は装置の部分断面図である。尚、この実施形態においては、付勢部材として板バネ８０´を採用し、この板バネ８０´に対応するレンズ枠４０´及びナット７０´を採用した以外は前述の実施形態と同一であり、同一の構成については同一の符号を付してその説明を省略する。
【００３３】
この装置において、レンズ枠４０´は、図５ないし図９に示すように、レンズＧを保持する環状部４１、延出部４２、開口部４３ａをもつ連結部４３、ナット７０´を当接させる当接部４４´、略Ｕ字状の連結部４６、被検出片４７、当接部４４´に連続して形成された傾斜部４８´（図９参照）等を備えている。
【００３４】
ナット７０´は、図５及び図９に示すように、レンズ枠４０´の当接部４４´に当接した状態で、傾斜部４８´と接触する傾斜部７０ａ´を備えている。すなわち、ナット７０´の傾斜部７０ａ´は、レンズ枠４０´の傾斜部４８´を押圧することにより、レンズ枠４０´を光軸Ｌに垂直な面内おいて矢印Ｒの方向に回転付勢する付勢力を生じるように形成されている。
【００３５】
板バネ８０´は、図５ないし図９示すように、レンズ枠４０´の延出部４２に対してカシメ等により組み付けられ（保持され）ている。この板バネ８０´は、ナット７０´をレンズ枠４０´の当接部４４´に付勢する付勢力を及ぼす環状部８１´と、連結部４３の開口部４３ａに挿入されてガイドシャフト２０に当接する片持ち梁状のバネ片８２´を一体的に備えている。
【００３６】
この構成において、板バネ８０´は、光軸方向Ｌにおいてナット７０´をレンズ枠４０´（当接部４４´）に付勢すると同時に、ナット７０´の傾斜部７０ａ´及びレンズ枠４０´の傾斜部４８´の係合関係と相俟って、その付勢力の一部を、ガイドシャフト２０回りすなわち光軸Ｌに垂直な方向Ｒにレンズ枠４０´を付勢する付勢力に変換するように形成されている。
したがって、板バネ８０´は、ナット７０´をレンズ枠４０´に向けて付勢することにより、レンズ枠４０´（当接部４４´）とナット７０´を常に接触させることができ、又、ナット７０´の雌ネジとリードスクリュー６０の雄ネジとの間のガタ取りがなされ、さらに、ナット７０´とレンズ枠４０´との係合を介してレンズ枠４０´を回転付勢する付勢力としても作用する。このように、一つの板バネ８０´に二つの役割を兼ねさせることにより、低コスト化を達成しつつ、構造をより簡素化して、装置をより小型化できる。
【００３７】
また、板バネ８０´には、ガイドシャフト２０に当接するべく片持ち梁状に伸長したバネ片８２´が形成されているため、ガイドシャフト２０に対するレンズ枠４０´の傾きを防止することができる。さらに、バネ片８２´は板バネ８０´に一体的に形成されるため、部品点数を増やすことなく、組み付けを容易に行うことができる。
【００３８】
この装置においても、レンズ枠４０´は、ガタツキ等を生じることなく、光軸方向Ｌに安定して移動することができ、光ピックアップユニット等に搭載された場合には、レンズの駆動中においても光軸Ｌが変動せず、焦点を一定に保つことができ、像揺れ等を防止できる。すなわち、この装置によれば、ナット７０´をレンズ枠４０´に付勢する役割とレンズ枠４０´を回転付勢する役割とを兼ねる板バネ８０´（付勢部材）を採用したことにより、レンズ枠４０´のガタツキ、像揺れ等を防止できると共に、別々の付勢部材を設ける場合に比べて部品点数を削減でき、構造の簡素化、装置の小型化等を達成できる。
【００３９】
上記実施形態においては、光軸方向Ｌに移動するレンズ枠として一つのレンズ枠４０，４０´を示したが、これに限定されるものではなく、複数のレンズ枠を備える構成において本発明を適用することができる。
上記構成において、付勢部材としてのコイルスプリング８０は、ガイドシャフト２０の周りに配置した場合を示したが、これに限定されるものではなく、リードスクリュー６０の周りに配置された構成において、本発明を採用することも可能である。
上記実施形態においては、レンズ枠４０，４０´を光軸方向Ｌに支持するシャフトとして、ガイドシャフト２０及び回り止めシャフト３０を採用した場合を示したが、ガイドシャフト２０が省略されてリードスクリュー６０がその役割を兼ねる構成において、本発明を採用してもよい。
【産業上の利用可能性】
【００４０】
以上述べたように、本発明のレンズ駆動装置は、構造の簡素化、部品点数の削減、装置の小型化等を達成しつつ、レンズ枠のガタツキ、偏芯、傾き、像揺れ等を防止して、レンズ枠（レンズ）を光軸方向に高精度に安定して駆動できるため、光ピックアップユニット等に適用できるのは勿論のこと、レンズ枠の振動そのものを防止する必要があるものであれば、その他のレンズ光学系に対しても有用である。
【図面の簡単な説明】
【００４１】
【図１】本発明に係るレンズ駆動装置の一実施形態を示す分解斜視図である。
【図２】図１に示すレンズ駆動装置の部分斜視図である。
【図３】図１に示すレンズ駆動装置の部分正面図である。
【図４】図１に示すレンズ駆動装置の部分平面図である。
【図５】本発明に係るレンズ駆動装置の他の実施形態を示す分解斜視図である。
【図６】図５に示すレンズ駆動装置の部分斜視図である。
【図７】図５に示すレンズ駆動装置の部分正面図である。
【図８】図７中のＥ１−Ｅ１における装置の部分断面図である。
【図９】図７中のＥ２−Ｅ２における装置の部分断面図である。
【符号の説明】
【００４２】
Ｌ  光軸方向
１０  ベース
１２，１３  貫通孔
１４，１５  嵌合穴
１６  固定部
１７  壁部
１８  ネジ穴
２０  ガイドシャフト
３０  回り止めシャフト
４０，４０´  レンズ枠
４１  環状部
４２  延出部
４３  連結部
４３ａ  開口部
４４，４４´  当接部
４５  掛止溝
４６  連結部
４７  被検出片
４８´  傾斜部
５０  モータ（駆動源）
６０  リードスクリュー
７０，７０´  ナット
７０ａ  突起
７０ａ´  傾斜部
８０  コイルスプリング（付勢部材）
８１  一端
８２  他端
８０´  板バネ（付勢部材）
８１´  環状部
８２´  バネ片
９０  カバー
１００  検出センサ
【図１】
2007101634.tif 000003
【図２】
2007101634.tif 000004
【図３】
2007101634.tif 000005
【図４】
2007101634.tif 000006
【図５】
2007101634.tif 000007
【図６】
2007101634.tif 000008
【図７】
2007101634.tif 000009
【図８】
2007101634.tif 000010
【図９】
2007101634.tif 000011
【手続補正書】
【提出日】平成17年10月3日(2005.10.3)
【手続補正１】
【補正対象書類名】図面
【補正対象項目名】全図
【補正方法】変更
【補正の内容】
【図１】
2007101634.tif 000012
【図２】
2007101634.tif 000013
【図３】
2007101634.tif 000014
【図４】
2007101634.tif 000015
【図５】
2007101634.tif 000016
【図６】
2007101634.tif 000017
【図７】
2007101634.tif 000018
【図８】
2007101634.tif 000019
【図９】
2007101634.tif 000020